(57)【要約】      （修正有）【課題】コンパクトな先入れ後出しタイプのシガレット貯蔵ユニットを提供する。【解決手段】貯蔵所２が一連の並行六面体形の製品３を入口搬送ユニット６から入口４で所定供給方向に受け取り、かつ製品３の一連の列を入口４から離れた出口５で出口搬送ユニット８へ放出し；貯蔵所２は搬送装置１６、１７、３０を備え、この搬送装置は入口４から出口５へ延び、製品３の対応する列を受け入れるための多数の伸長ポケット２４を持ち、かつポケット２４と交差する方向２９に動いてポケット２４を入口４から出口５へ長さ可変の通路部分に沿い動かし、この通路はプーリー１９、２０周りに延び、このプーリーはポケット２４および供給方向と並行な回転軸２１、２２を備え、かつ入口４および出口５の間の通路部分の長さを変えるように横方向へ可動である。【選択図】  図１
2004161492.tif 000002
【特許請求の範囲】
【請求項１】
実質的に並行六面体形製品のための貯蔵ユニットであって、そのユニット（１）が互いに離れた１個の入口（４）および１個の出口（５）を持つ１個の貯蔵所（２）と、上記製品（３）の列（９）を上記入口（４）へ与えられた第１方向（７）で連続的に供給するための１個の第１搬送ユニット（６；６６；７２）および、上記列（９）を上記出口（５）で連続的に受け取るための１個の第２搬送ユニット（８）とを包含し；上記貯蔵所（２）が搬送手段（１６、１７、３０）を包含し、この搬送手段は上記入口（４）から上記出口（５）へと延び、多数の伸長ポケット（２４；７１）を備え、このポケットは対応する並行な長手方向の第１軸（２５）を持ち、かつ各ポケットは対応する上記列（９）を受け取るためのものであり、かつ上記第１軸（２５）と交差する第２方向（２９）に動いて上記ポケット（２４；７１）を上記入口（４）から上記出口（５）へ可変長さの通路部分に沿って動かし；かつ上記貯蔵所（２）が上記通路部分の長さを変えるための変更手段（１３）を包含しているものにおいて；ユニット（１）の変更手段（１３）が上記搬送手段（１６、１７、３０）および上記入口（４）および／または出口（５）の間の相対的な動きを決定して上記入口（４）および／または出口（５）に面した搬送手段（１６、１７、３０）の部分位置を変え得るように設計されていることを特徴とする、貯蔵ユニット。
【請求項２】
上記入口（４）および出口（５）が適当な固定位置に配置されており；搬送手段（１６、１７、３０）の少なくとも一部が変更方向（１２）に沿いスライド可能に装着されており；かつ変更手段（１３）が搬送手段（１６、１７、３０）の少なくとも一部に変更方向（１２）に沿う動きを伝えるためのモーター（１３）を包含している、請求項１に記載のユニット。
【請求項３】
搬送手段（１６、１７、３０）が上記入口（４）から出口（５）へ延びる少なくとも２個の並行な並立した無端コンベヤー（１６、１７）、および２個の無端コンベヤー（１６、１７）間に介装された１個の乗換ドラム（３０）を包含している、請求項２に記載のユニット。
【請求項４】
無端コンベヤー（１６、１７）が変更方向（１２）に沿いスライド可能に装着されかつ乗換ドラム（３０）が適当な固定位置に配置されている、請求項３に記載のユニット。
【請求項５】
長さ可変の通路部分は少なくとも１個のプーリー（１９、２０）周りに延び、このプーリーは上記第１軸（２５）および上記第１方向（７）と並行な第２軸（２１、２２）を持ちかつ上記第１軸（２５）および上記第１方向（７）と交差する第３方向（１２）に可動であり、上記長さを変え得るように構成されている、請求項１ないし４の何れかに記載のユニット。
【請求項６】
上記搬送ユニット（６、８；６６）の少なくとも一つが上記ポケット（２４；７１）に面した１個の端部分（４３０ａ、６７ａ）を備えかつ上記列（９）を支持するための１個のコンベヤー（４０；６７）；および上記端部分（４０ａ；６７ａ）および対応する上記ポケット（２４；７１）の間で上記第１方向（７）に対し交差して上記列（９）を移動させるための移動手段（４１；６９）とを包含している、請求項５に記載のユニット。
【請求項７】
上記移動手段（４１）が１個の吸引バー（４２）を包含し、この吸引バーが上記第１軸（２５）と並行でありかつ上記端部分（４０ａ）に面した第１位置を通して対応する上記ポケット（２４；７１）に係合する第２位置へと周期的に可動である、請求項６に記載のユニット。
【請求項８】
上記移動手段（４１）が１個の関節式伝動装置（４４）を包含し、この伝動装置は上記吸引バー（４２）で限定された連結ロッド、および２個のクランク機構（４５）を順に備え、このクランク機構は上記吸引バー（４２）の反対側に位置しかつ上記第２方向（２９）と並行な対応する第３軸（４６）周りに揺動可能である、請求項７に記載のユニット。
【請求項９】
上記コンベヤー（４０）が一定速度で動き；上記クランク機構（４５）が、使用時には、上記吸引バー（４２）を上記第１位置から上記コンベヤー（４０）と等速で動かすように構成された、請求項８に記載のユニット。
【請求項１０】
上記搬送手段（１６、１７、３０）が等速で上記第２方向（２９）へ動き；かつ上記の各クランク機構（４５）が対応する上記第３軸（４６）周りおよび上記第１軸（２５）と並行な対応する第４軸（５５）周りに揺動可能であり；制御手段（５４）が上記の各クランク（５１）の対応する第４軸（５５）周りの角度位置を制御し、かつ上記吸引バー（４２）を上記第２位置を通してかつ上記第２方向（２９）へ上記搬送手段（１６、１７、３０）の上記第２方向（２９）への動きと等速で動かされる、請求項８または９に記載のユニット。
【請求項１１】
上記各クランク機構（４５）が対応する上記第３軸（４６）と同芯の第１シャフト（４８）、および上記第１シャフト（４８）を対応する第３軸（４６）周りに所定揺動期間揺動させるための第１作動手段（４７）を包含し；上記各クランク（５１）が対応する上記第１シャフト（４８）に連結されて対応する上記第１シャフト（４８）と共に対応する上記第３軸（４６）周りに揺動し、かつ上記制御手段（５４）により対応する上記第１シャフト（４８）に関連して揺動させられるように構成されている、請求項１０に記載のユニット。
【請求項１２】
上記制御手段（５４）が上記各クランク（５１）のための対応する第３軸（４６）と同芯の第２シャフト（５９）；上記第２シャフト（５９）を対応する上記第３軸周りに上記所定期間と等しい期間揺動させるための第２作動手段（５８）；および上記第２シャフト（５９）および対応する上記クランク（５１）の間に介装されて、上記第１シャフトおよび上記第２シャフト（５９）の上記期間中における角速度間の差を上記クランク（５１）の対応する上記第４軸（５５）周りの回転に変えるための差動手段（６１）を包含している、請求項１１に記載のユニット。
【請求項１３】
上記差動手段（６１）が、上記各第２シャフト（５９）のために、上記第２シャフト（５９）に固着された別クランク（６２）；および上記別クランク（６２）および対応する上記クランク（５１）の中間点の間に介装された弾性変形可能な伝動装置（６３）を包含している、請求項１２に記載のユニット。
【請求項１４】
上記搬送手段（１６、１７、３０）が上記第２方向（２９）へ歩調を整えて動き、かつ上記コンベヤー（６７）の上記端部分（６７ａ）が上記第１方向（７）へ動き；上記移動手段（６９）が上記第１および第２方向（７、２９）と交差して動く押圧装置（６９）を包含している、請求項６に記載のユニット。
【請求項１５】
上記搬送手段（１６、１７、３０）が上記第２方向（２９）へ一定速度で動き、かつ上記コンベヤー（６７）の端部分（６７ａ）が上記第１方向（７）へ歩調を整えて動き；上記移動手段（６９）が上記第１および第２方向（７、２９）と交差して動く押圧装置（６９）を包含し；上記各ポケット（７１）の上記第２方向（２９）に計測した高さが、上記第２方向（２９）の間隙を隔てて対応する上記列（９）を受け入れ得るように定められている、請求項６に記載のユニット。
【請求項１６】
上記コンベヤー（６７）が連続的に動き、かつ上記端部分（６７ａ）を歩調を整えて動かすための補正手段（６８）を包含している、請求項１４または１５に記載のユニット。
【請求項１７】
上記搬送手段（１６、１７、３０）が上記第２方向（２９）へ一定速度で動き；かつ少なくとも１個の上記搬送ユニット（７２）が上記列（９）を上記第１方向（７）へ連続的に供給するための供給コンベヤー（７３）を包含し；上記供給コンベヤー（７３）が上記ポケット（２４）の軸方向端部に面して自由端部を位置させた端部分（７４）を包含している、請求項５に記載のユニット。
【請求項１８】
上記端部分（７４）が上記自由端部と反対側で、かつ上記第１および第２方向（７、２９）と直交する第５軸（７５）周りにロックするように装着され、上記ロックは実質的に水平な低い位置、および引き上げられた位置で行われ、引き上げられた位置では上記自由端部が上記低い位置における自由端部の位置に対して引き上げられ、その引き上げ量は上記第２方向（２９）に計測した上記ポケット（２４）の高さと実質的に等しくされている、請求項１７に記載のユニット。
【請求項１９】
また上記搬送ユニット（７２）が上記端部分（７４）の上方に吸引リフトコンベヤー（７６）を包含し；上記リフトコンベヤー（７６）が上記ポケット（２４）の軸方向端部に面した第１端部を備え、かつ上記第１端部と反対の第２端部でロックするように上記第５軸（７５）と並行な第６軸（７８）周りに装着され、上記ロックは上記ポケット（２４）へ向かい傾斜した第１位置、および更に上向きに傾斜した第２位置の間で行われ；上記第２位置内の上記第１端部が上記低い位置では上記端部分（７４）の上記自由端部から２個の上記ポケット（２４）の高さと実質的に等しい距離だけ離れている、請求項１８に記載のユニット。
【請求項２０】
また上記搬送ユニット（７２）が上記供給コンベヤー（７３）と整合する固定位置に吸引輸送コンベヤー（７９）を包含し、かつポケット（２４）が使用中に上記供給コンベヤー（７３）と整合する位置を通して上記ポケット（２４）を内側位置に限定し；上記輸送コンベヤー（７９）が上記供給コンベヤー（７３）と共に上記第１方向（７）に可動である、請求項１７ないし１９の何れかに記載のユニット。
【請求項２１】
上記輸送コンベヤー（７９）が吸引コンベヤーである、請求項２０に記載のユニット。
【発明の詳細な説明】
【技術分野】
【０００１】
本発明は実質的並行六面体形製品のための貯蔵ユニットに関する。
【０００２】
本発明はシガレットの小包のための貯蔵ユニットの製造に特別な利点を求めて使用することができ、そのための以下の記述は単なる例示である。
【背景技術】
【０００３】
煙草業界では、シガレットの小包のための貯蔵ユニットは通常パッキングまたはセロファン掛け機械のような製造機械、および通常セロファン掛けまたはカートン入れ機械のような使用者側機械の間に普通採用されて、２台の機械の出力差を補正している。
【０００４】
公知の小包貯蔵ユニットは通常ＦＩＬＯ（先入れ後出し法）タイプ、即ち、インプットおよびアウトプットの時期が通常互いに一致するものである。この種のユニットは通常ライン上に配置されかつ比較的にコンパクトではあるが、或る程度の小包が比較的長時間保留されると言う欠点を備えている。
【０００５】
ＦＩＦＯ（先入れ先出し法）タイプの小包貯蔵ユニットも知られており、これは上記欠点を除去するが、これは長いコイル状コンベヤーを特徴としており、比較的に脆弱で、即ち、頻繁に損傷を受けやすくなるばかりでなく、比較的に長い構造になる。
【０００６】
ＤＥ１９５０６１９６は製品列の供給、貯蔵および分配のための装置を開示しており；その装置は１個の入口ステーション、１個の出口ステーションおよびコンベヤー付きの１個のＦＩＦＯタイプ貯蔵所を包含している。出口ステーションには少なくとも２個の垂直方向にオフセットしたリフトエレメントがあり、それは製品の複数の列を同一区域内の少なくとも２個のテーブルから第２および第３コンベヤー上へ滑り出すためのものである。第２および第３コンベヤーのためのコンベヤー装置は第１コンベヤーの搬送方向と交差して走り、従って製品の複数の列から複数のコラムが形成され得る。これらのテーブルは複数のゴンドラ内に固定されることができ、これらのゴンドラは一定間隔でコンベヤーから枢動可能に吊り下がっている。
【特許文献１】
ＤＥ１９５０６１９６
【考案の開示】
【発明が解決しようとする課題】
【０００７】
本発明の一つの目的は上記欠点を除去するように設計された実質的並行六面体形製品のための貯蔵ユニットを提供することである。
【０００８】
より詳細には、本発明の目的は、ＦＩＦＯタイプであり、かつ同時に出来るだけコンパクトで強い、実質的並行六面体形製品のための貯蔵ユニットを提供することである。
【課題を解決するための手段】
【０００９】
本発明によると、請求項１内に記載され、かつ好ましくは請求項１に直接的にまたは間接的に従属する以下の請求項の何れかに記載されたような実質的並行六面体形製品のための貯蔵ユニットが提供されている。
【００１０】
本発明の多数の非限定的な実施例が例として添付図面に関連して記述されるであろう。
【発明を実施するための最良の形態】
【００１１】
図１内の符号１は全体として貯蔵ユニットを示しており、この貯蔵ユニットはシガレットの小包３を貯蔵するために貯蔵所２の反対側に互いに離れた固定入口４および固定出口５を有する１個の貯蔵所２と、小包３を入口４へ図１の面と実質的に直角な方向に連続的に供給するための実質的に水平な入口搬送ユニット６と、および出口５で小包３の列９を連続的に受け取るための実質的に水平な出口搬送ユニット８とを包含している。
【００１２】
貯蔵所２は実質的に垂直なレール１１に装着された可動台１０を包含し、かつこの可動台は作動装置１３により図１の面と並行しかつ方向７と直交する方向１２へレール１１に沿い上下に動かされ、作動装置は、図示の例では、ラックピニオンカップリング１５によりレール１１に連結されたモーター１４を包含している。
【００１３】
貯蔵所２はまた夫々入口４および出口５へと延びる２個の並立した無端コンベヤー１６および１７を包含し、かつ各コンベヤーは対応する多数のベルト１８（図２）により限定されており、このベルトは可動台１０に装着された対応する１対のプーリー１９、２０に巻かれ、可動台１０に対して対応する軸２１、２２周りに回転し、これらの軸は方向７に対して実質的に並行しかつ１個の垂直面内を占めている。プーリー１９は対応するプーリー２０の上方に位置し、対応するベルト１８を図１で反時計方向に動かすように駆動され、かつ図示されていない電気軸により他方のプーリー１９と同期している。
【００１４】
図３内により明確に示されているように、各コンベヤー１６、１７の複数のベルト１８は伸長プレート２３の連続体により互いに連結されており、伸長プレートは方向７に対して実質的に並行しかつ複数のベルト１８に対して交差し、かつこれらの伸長プレートが一連の横向きポケット２４を区画し、各ポケットはトッププレート２３ａおよびボトムプレート２３ｂにより限定されており、ベルト１８と交差しかつ方向７と並行な対応する長手軸２５を備え、かつ並列小包３の対応する列９を受け入れる。多数の横向きスロット２６が各プレート２３を部分的に横切って対応するベルト１８に固着の内側長手エッジと反対の外側長手エッジから延びており、かつ対応するプレート２３に沿い対応するポケット２４の長手方向軸２５に沿い計測した小包３の長さと等しい間隔で配置されている。各スロット２６は使用時に対応するポケット２４内に収容される列９内の対応する小包３に対して中央に位置するように対応するプレート２３内に形成されている。
【００１５】
対応するプーリー１９、２０の間において、各コンベヤー１６、１７は１個の垂直ロード部２７および１個の垂直アンロード部２８を包含し、これらは対応する軸２５と交差する方向２９内で反対に動く。より詳細には、コンベヤー１６のロード部２７は入口４を通して延び；コンベヤー１７のアンロード部２８は出口５を通して延び；コンベヤー１６のアンロード部２８およびコンベヤー１７のロード部２７は互いに対向して位置し、かつこれらは乗換ドラム３０により連結されており、この乗換ドラムは軸２１、２２と並行な固定軸３１周りに回転し、入口４に面した固定ロードステーション３２でコンベヤー１６のアンロード部２８と実質的に正接（タンジェント）し、かつ出口５に面した固定アンロードステーション３３でコンベヤー１７のロード部２７と実質的に正接している。
【００１６】
ドラム３０は軸３１と同芯の駆動軸により図１で時計方向に回わされ、駆動軸は軸３１にスロット１０ａを横断して摺動可能に固着され、スロットは可動台１０を通してかつ方向１２と並行に形成されている。ドラム３０は多数の周辺ポケット３４を備え、各ポケットは対応する列９を受け入れかつロードステーション３２およびアンロードステーション３３を通して動き、その動きはコンベヤー１６および１７のポケット２４の夫々ロードステーション３２およびアンロードステーション３３を通しての動きと同じである。図示の例においては、ドラム３０は１個の固定空圧分配器３５を備え、この分配器は１個の吸引室３６および１個の追出室３７を包含し、吸引室はロードステーション３２を通して延びかつポケット３４がロードステーション３２からアンロードステーション３３へ移動する全通路にわたり実質的に延び、追出室はアンロードステーション３３に配置されている。
【００１７】
吸引室３６はロードステーション３２に配置された固定の追出ボックス３８と協働し、この追出ボックスはドラム３０に対しコンベヤー１６のアンロード部２８の反対側にあり；かつ追出室３７はアンロードステーション３３に配置された固定の吸引ボックス３９と協働し、この吸引ボックスはドラム３０に対しコンベヤー１７のロード部２７の反対側にある。
【００１８】
入口および出口搬送ユニット６、８は鏡のように対称であるから、以下の記述は入口搬送ユニット６のみに限定する。
【００１９】
図２内に示されているように、入口搬送ユニット６は方向７へ移動するコンベヤー４０を包含し、かつまた１個の出口部分４０ａを包含しており、この出口部分は入口４に位置し、コンベヤー１６に沿いかつ対向し、ポケット２４と同じ長さである。入口搬送ユニット６も１個の移動装置４１を包含し、この移動装置は小包３の列９をコンベヤー４０の出口部分４０ａからコンベヤー１６の対応するポケット２４へ移動させるためのものである。
【００２０】
図２に関連しかつ図４、５により明確に示されているように、移動装置４１は１個のバー４２を包含し、このバーは方向７と並行し、出口部分４０ａより一般に高く、かつ一連の下向き空圧グリップヘッド４３を備え、これらのグリップヘッドはプレート２３に沿うスロット２６と同様にバー４２に沿い配置されている。バー４２は１個の関節式並行四辺形により限定されている１個の関節式伝動装置４４のコネクテイングロッドを構成し、伝動装置はバー４２の反対側両端に連結された２個のクランク機構４５を包含し、これらのクランク機構は方向２９と並行な対応する軸４６周りに１個の作動部材４７により揺動され、上記作動部材はクランク機構４５の一つに連結されている。より詳細には、各クランク機構４５は１個の中空シャフト４８を包含しており、この中空シャフトは対応する軸４６と同芯であり、作動部材４７により対応する軸４６周りに揺動され、かつ上端近傍に１個の半径方向孔４９を備え、この孔を通してＺ形クランク５１の横断ピン５０が回転のために固着されており、対応する軸４６に対して半径方向位置を占めるクランクの端部５２はバー４２の対応する端部に方向２９と実質的に並行なヒンジピン５３により連結されている。
【００２１】
移動装置４１はまた対応ピン５０の軸５５周りのクランク５１の角度位置を調整するための更なる関節式伝動装置５４を包含し、かつバー４２と実質的に並行しかつ各端部でクランク機構５７に枢着されたダブルコネクテイングロッド５６を包含し、クランク機構はクランク機構５７の一つに連結された作動部材５８により対応する軸４６周りに揺動される。より詳細には、各クランク機構５７は１個のシャフト５９を包含し、このシャフトは対応する中空シャフト４８を通して延び、対応する軸４６と同芯であり、対応する軸４６周りに作動部材５８により揺動し、その揺動周期は作動部材４７と同じであり、かつ対応する中空シャフト４８の上端から突出した上端部にクランク６０が装着され、そのクランクはダブルコネクテイングロッド５６の対応端部に枢着されかつ対応軸４６周りに枢支されたロッカーアーム６１により限定された差動部材の一つのアームを構成しており、更なるアーム６２を包含し、このアームは弾性変形可能な伝動装置６３により対応クランク５１の中間点に連結され、この伝動装置はクランク５１の中間点から上方へ突出しクランク５１自体と一体の１個のリジッドピン６４およびピン６４の自由端をアーム６２の自由端に連結する１個のリーフスプリング６５を包含している。
【００２２】
既述の貯蔵ユニット１において、コンベヤー４０、１６、１７および乗換ドラム３０は全て連続的に動作し、各小包３の列９は、入口搬送ユニット６のコンベヤー４０により入口４へ連続的に供給されると、関係する移動装置４１によりコンベヤー１６の対応するポケット２４内へ横向きに送られ、かつコンベヤー１６によりロードステーション３２へ供給され、そこでドラム３０の関係するポケット３４内に追出ボックス３８および吸引室３６により送られる。各列９は関連ポケット３４内の吸引によりアンロードステーション３３まで保持され、そこでコンベヤー１７の対応するポケット２４へ追出室３７から放出される圧縮エヤーにより列９に与えられたスラストおよび吸引ボックス３９によるエヤー吸引により送られる。列９はそれからコンベヤー１７により出口５へ供給され、そこで出口搬送ユニット８の移動装置４１により掴まれかつ出口搬送ユニット８のコンベヤー４０へ送られる。
【００２３】
入口４、出口５、ロードステーション３２、およびアンロードステーション３３は固定されているので、貯蔵所２の容量を夫々減しまたは増すためには可動台１０を単に上方および下方へ動かすことが要求されるだけである。
【００２４】
入口搬送ユニット６のコンベヤー４０からコンベヤー１６の関連ポケット２４への小包３の列９の移動は、図示の例では、方向２９への連続的な下降を来すが、これは図４ないし６に関連して記載されるであろう。
【００２５】
列９がコンベヤー４０の部分４０ａに近付くと、移動装置４１は図４内に示されている当初位置にあり、そこではバー４２は部分４０ａに関して方向７へ引かれ、かつ部分４０ａ上の列９内の小包３の頂面上方へ引き上げられている。この位置において、作動部材４７、５８は動作してシャフト４８、５９を図４で時計方向に同一角速度で回し、かつバー４２を加速し、従って列９の上方に位置しかつコンベヤー４０と等速で方向７へ移動し、空圧ヘッド４３は列９内の小包３と同期する。
【００２６】
この点において、中空シャフト４８の回動速度は列９が方向７へ移動する時にバー４２が列９に従動し得るように一定に維持され、一方シャフト５９はロッカーアーム６１が中空シャフト４８に対して図４で時計方向に回動するように更に加速される。ロッカーアーム６１は差動部材として機能し、かつ中空シャフト４８を追い越すことによりリーフスプリング６５をピン６４を介して圧縮し、クランク５１上に下向きのモーメントを及ぼし、これが軸５５周り下向きに回動させて空圧ヘッド４３を位置４０ａ上の列９内の関連小包３と接触させる。
【００２７】
この点において、シャフト４８、５９の角速度は互いに相違してバー４２が列９を位置４０ａ外へ上げることを許容し、列９をコンベヤー４０に対して加速して列を後続する小包３より引き離し、列９を関連ポケット２４に対して上方へ動かし、かつ列９を関連ポケット２４内へ挿入し、ポケット２４の下降を来す。図２内に示されているように、挿入は空圧ヘッド４３が関係ポケット２４のプレート２３ａ内の関連スロット２６に係合した時に終了し；その時、バー４２は当初の持ち上げられた、引かれた位置へと戻され始める。
【００２８】
列９はコンベヤー１７の関連ポケット２４から出口搬送ユニット８のコンベヤー４０へ上記と同様に、単に鏡に写すように、移送される。
【００２９】
図示されていない変形においては、コンベヤー１７および乗換ドラム３０を無しで済ませ、かつコンベヤー１６のみが使用され、そのロード部２７が図示の例のように入口４を通して延び、かつそのアンロード部２８が出口５を通して延びている。代わりに、図示されていない更なる変形においては、記述されてきた貯蔵所２の容量は乗換ドラム３０およびコンベヤー１７の間に１個またはそれより多い補助ユニットを挿入することにより増加され、上記の各補助ユニットはコンベヤー１６、１７と同様なコンベヤーおよび乗換ドラム３０と同様なドラムで限定される。
【００３０】
図７および８内に示されている変形においては、少なくとも入口搬送ユニット６が１個の入口搬送ユニット６７により置き換えられており、この搬送ユニット６６は方向７へ連続的に移動するコンベヤー６７を包含し、このコンベヤー６７は図２内で部分４０ａにより占められていた位置内に入口４へと延びる部分６７ａを備えている。入口４から方向７の上流に、コンベヤー６７は公知の方法で方向７へ可動の１個の補正プーリー６８を備え、入口４およびロードステーション（図示せず）の間に延びるコンベヤー６７の位置を調整し、ロードステーションでは小包３はコンベヤー６７上に乗せられ、従って列９がコンベヤー１６へ送られるときに列９を入口４に一時的に捕獲し得る。
【００３１】
図７内の変形では、列９が移動される時に静止しているので、図２内の移動装置４１は方向７と交差する方向７０へ前後する直進押圧装置６９により置き変えられ得る。明らかなように、コンベヤー１６上の関連ポケット内への列９の挿入を可能にするには、図２内のポケット２４はポケット７１により置き換えられ、ポケット７１は以下の量だけポケット２４より高く、方向２９に見た各ポケット７１の高さおよび小包３の厚さの差が、列９が関連ポケット７１内に挿入される間にコンベヤー１６の移動する量と概ね等しいか、しかしそれより少なくはない量である。同様に、コンベヤー１７上のポケット（図示せず）の高さも増加される。
【００３２】
出口５においては、入口４における押圧装置６９はコンベヤー１７のロード部２７およびアンロード部２８の間に装着されかつコンベヤー１７のアンロード部２８のベルト１８の間で方向２９と交差して動く押圧装置（図示せず）により置き換えられ、またはコンベヤー１７のアンロード部２８の外側の、コンベヤー１６のロード部２７に関する押圧装置６９と同じ位置に配置された１個の吸引バー（図示されていないがバー４２と同様）により置き換えられる。
【００３３】
上記の変形は、明らかなように、所望によりどのようにでも組み合わされ得る。
【００３４】
上記の全ての実施例はコンベヤー４０、１６、１７を連続的に動作させるためのものであるが、コンベヤー１６および１７および／またはコンベヤー４０は間欠駆動され得ることも明らかである。
【００３５】
もしコンベヤー１６、１７が間欠駆動されると、ポケット２４、７１の高さは常に小包３の厚さより僅かに大きく、かつ移動装置４１の動きは列９をポケット２４、７１内へまたはポケットから直線的に挿入または引出し得るように変更される。
【００３６】
もしコンベヤー６７が間欠駆動されると、補正プーリー６８は明らかに除去され、かつ移動装置４１の関連バー４２の動きは空圧ヘッド４３および列９内小包３の間の除去のための接触が遅れるように変えられ、従ってバー４２の方向７と実質的に交差する方向への動きのみが利用されるようになる。
【００３７】
図９ないし１１内に示されている変形においては、コンベヤー１６（その内のコンベヤー１６のみが示されている）が一定速度で方向２９（図９−１１の例内では上向き）に移動し、図１および２内の搬送ユニット６は入口４における入口搬送ユニット７２により置き換えられかつ入口４を通り移動するポケット２４の長手軸２５に沿う面と整合している。入口搬送ユニット７２と同様な１個の搬送ユニット（図示せず）を出口５において使用し得る。
【００３８】
入口搬送ユニット７２は供給コンベヤー７３を包含し、列９を入口４へ方向７に連続的に供給するこの供給コンベヤーは、その出口端をポケット２４の軸方向端部に向けて配置され、かつ好ましくは列９と等しい長さの出口部分７４を包含し、かつ入口端部で軸７５周りにロックするように装着され、軸７５は方向７および２９と直交し、実質的に水平な下げられた位置（図１０）および持ち上げられた位置（図９）の間にあり、そこで供給コンベヤー７３の出口端部は下げられた位置に対して実質的にポケット２４の高さに等しい距離だけ持ち上げられる。
【００３９】
入口搬送ユニット７２も１個のリフトコンベヤー７６を包含し、このリフトコンベヤーはエヤー透過性を持ち、列９内の小包３の頂面に連続的に係合し、かつ供給コンベヤー７３の出口部分７４の出口端部の上方に位置している。リフトコンベヤー７６は供給コンベヤー７３と等速で駆動され、吸引ボックス７７周りを取り囲む出口部分を備え、入口端部で軸７５と並行な軸７８周りに下げられた位置（図９）と上げられた位置（図１０）の間でロックするように装着されており、上記の下げられた位置（図９）では上向きに傾斜しかつ上げられた位置の供給コンベヤー７３の出口部分７４と実質的に並行であり、上記上げられた位置（図１０）ではリフトコンベヤー７６の出口端部が更に上向きに傾斜しかつ下げられた位置の供給コンベヤー７３の出口端部から、実質的に２個のポケット２４の高さに等しい距離だけ離されている。
【００４０】
図１１内に示されているように、入口搬送ユニット７２はまた入口４で固定位置内の輸送コンベヤー７９および入口４を通る内方が制限されたポケット２４を包含している。図示の例において、輸送コンベヤー７９は方向７に整合された一連の無端吸引ベルト８０により限定されており、かつ各無端ベルトは２個のベルト１８間の間隙内に配置され、供給コンベヤー７３と等速で方向７へ動き、ポケット２４の略２倍の高さを有する。
【００４１】
実際の使用中において、供給コンベヤー７３上の列９の先端が供給コンベヤー７３の出口端部に接近すると、最初下げられた位置にある出口部分７４は関連ポケット２４が方向２９へ上昇するのに連れて次第に持ち上げられ、従って列９は供給コンベヤー７３および輸送コンベヤー７９の双方によりポケット２４内に軸方向に次第に挿入される。出口部分７４は上昇を続けて、ついにまだ関連ポケット２４の外側にある列９の後続部分内の小包３がリフトコンベヤー７６に当たり、リフトコンベヤーはそれらの小包を吸引力により保持しかつポケット２４に従って更に上昇し、かつ供給コンベヤー７３から引き取り、輸送コンベヤー７９と共にポケット２４内への列９の充分な挿入を確保する。同時に、供給コンベヤー７３の出口部分７４は次の列を次のポケット２４に供給するために下げられた位置へ復帰する。
【図面の簡単な説明】
【００４２】
【図１】図１は本発明による貯蔵ユニットの好ましい第１実施例の前面図である。
【図２】図２は図１内の詳細部の拡大斜視図である。
【図３】図３は図２内の第１詳細部の拡大斜視図である。
【図４】図４は図２内の第２詳細部の２個の異なる動作位置の一方を示す拡大斜視図である。
【図５】図５は図２内の第２詳細部の２個の異なる動作位置の他方を示す拡大斜視図である。
【図６】図６は図４および図５内の詳細部の動作グラフを示している。
【図７】図７は図２の変形詳細部の側面略図である。
【図８】図８は図７の詳細部分断面略図である。
【図９】図９は図２の詳細部の更なる変形の２個の異なる動作位置の一方を示す側面図である。
【図１０】図１０は図２の詳細部の更なる変形の２個の異なる動作位置の他方を示す側面図である。
【図１１】図１１は図１０内のＸＩ−ＸＩ線に沿う断面図である。
【図１】
2004161492.tif 000003
【図２】
2004161492.tif 000004
【図３】
2004161492.tif 000005
【図４】
2004161492.tif 000006
【図５】
2004161492.tif 000007
【図６】
2004161492.tif 000008
【図７】
2004161492.tif 000009
【図８】
2004161492.tif 000010
【図９】
2004161492.tif 000011
【図１０】
2004161492.tif 000012
【図１１】
2004161492.tif 000013
【外国語明細書】
2004161492.tif 000014
2004161492.tif 000015
2004161492.tif 000016
2004161492.tif 000017
2004161492.tif 000018
2004161492.tif 000019
2004161492.tif 000020
2004161492.tif 000021
2004161492.tif 000022
2004161492.tif 000023
2004161492.tif 000024
2004161492.tif 000025
2004161492.tif 000026
2004161492.tif 000027
2004161492.tif 000028
2004161492.tif 000029
2004161492.tif 000030
2004161492.tif 000031
2004161492.tif 000032
2004161492.tif 000033
2004161492.tif 000034
2004161492.tif 000035
2004161492.tif 000036
2004161492.tif 000037
2004161492.tif 000038
2004161492.tif 000039
2004161492.tif 000040
2004161492.tif 000041
2004161492.tif 000042